(57)【要約】【課題】ティシュペーパーを取出口から取り出した際に使用しやすいポケットティシューの製造方法を提供する。【解決手段】  第一折り板によって、連続シートをＭＤ方向に沿って半分に折り返す第一折り返し工程と、第一折り返し工程で形成した半分に折り返された連続シートを、第二折り板によって、その折り返し縁がＣＤ方向の所定の位置となるようにＭＤ方向に沿って折り返す第二折り返し工程と、第二折り返し工程で折り返された連続シートをティシュペーパーの長さでＣＤ方向に沿って裁断して個々のティシュペーパー片とするカット工程と、カット工程で裁断されたティシュペーパー片をＭＤ方向の半分の位置でＣＤ方向に沿って折り返す第三折り返し工程と、を含むポケットティシューの製造方法により解決される。【選択図】図１
2018057451.tif 000002
【特許請求の範囲】
【請求項１】
原反ロールから繰出されたティシュペーパーの幅で連続する連続シートを搬送しつつ、第一折り板によって、前記連続シートをＭＤ方向に沿って半分に折り返す第一折り返し工程と、
第一折り返し工程で形成した半分に折り返された連続シートを搬送しつつ、第二折り板によって、その折り返し縁がＣＤ方向の所定の位置となるようにＭＤ方向に沿って折り返す第二折り返し工程と、
第二折り返し工程で折り返された連続シートをティシュペーパーの長さでＣＤ方向に沿って裁断して個々のティシュペーパー片とするカット工程と、
カット工程で裁断されたティシュペーパー片をＭＤ方向の半分の位置でＣＤ方向に沿って折り返す第三折り返し工程と、を含むことを特徴とするポケットティシューの製造方法。
【請求項２】
前記第三折り返し工程は、ティシュペーパー片のＭＤ方向の半分の位置でＣＤ方向に沿って、押し込み部材を押しあて、回転する一対の折りローラ間に、前記ティシュペーパー片をそのＭＤ方向の半分の位置から送り込むことで行なう、請求項１記載のティシュペーパーの製造方法。
【請求項３】
前記第三折り返し工程は、折り板によって、ティシュペーパー片のＭＤ方向の両側部分をＣＤ方向に沿って折り返すことで行なう、請求項１記載のティシュペーパーの製造方法。
【請求項４】
第三折り返し工程で折り返されたティシュペーパー片を積み重ねて束とし、ミシン目を有するフィルムによって、ＭＤ方向に沿う折り畳み縁がそのミシン目に沿う方向となるようにして包装する包装工程と、を有する、請求項１〜３の何れか１項に記載のポケットティシューの製造方法。
【請求項５】
原反ロールとして、予め保湿剤が付与された原紙が巻かれているものを用いる請求項１記載のポケットティシューの製造方法。
【請求項６】
原反ロールから繰出した連続シートに対して、第一折り返し工程の前に、保湿剤を付与する保湿剤付与工程を有する請求項１記載のポケットティシューの製造方法。
【発明の詳細な説明】
【技術分野】
【０００１】
本発明は、ポケットティシューの製造方法に関する。
【背景技術】
【０００２】
ポケットティシューは、折り畳まれたティシュペーパーが複数組重ねられた積層体が、樹脂製のフィルムによって包装されており、上面の短手方向略中央に形成され長手方向に沿って延在するスリット状の取出口からティシュペーパーを取り出す構成となっている。
【０００３】
従来一般的なポケットティシューは、図７に示すようにしてティシュペーパー１１０が折り畳まれている。つまり、図７（Ａ）〜図７（Ｂ）に示すように枚葉シート状のティシュペーパー１１０がＺ折りされ、さらに、図７（Ｃ）に示すように上下の折り返し縁部１１２を各々半分に折り返されて図７（Ｄ）に示すように細長シート状とされたもの１１３が、図７（Ｄ）〜図７（Ｅ）に示すように長手方向中央１１３Ｃで二つ折りされた折り畳み態様１１５となっている。
【０００４】
しかし、この従来一般的な折り畳み態様では、ティシュペーパー１１０がＺ折りされた後に二つ折りにされているため、使用時に枚葉のシートが単に半分に二つ折りにした使用しやすい形状にするためには一度広げて畳み直す手間を要する問題があった。
【０００５】
そこで、本発明者は、このような問題を解決し、取出口からティシュペーパーを取り出した際に、一旦拡げて折り畳み直す必要なく使用しやすい形態となるポケットティシューを開発した（特許文献１）。このポケットティシューに係る折り畳み態様は、図８及び図９に示す。図８に示す態様は、図８（Ａ）に示すようにティシュペーパー９がほぼ二等分する位置で二つ折りにされ、さらに、図８（Ｃ）〜図８（Ｄ）に示すように、この二つ折りにされたティシュペーパー９が、概ね短手方向の１/３程度の位置９Ｃで折り返し縁部１２の側が長手方向に沿って折り返され、最後に、図８（Ｄ）〜図８（Ｅ）に示すように、その折り返されたティシュペーパー１３が、長手方向の半分の位置１３Ｃで短手方向に沿って折り返されて畳まれた折り畳み態様１４となっている。図９に示す態様は、図８における（Ａ）〜（Ｄ）と同様に、二つ折りにされたティシュペーパー９が、概ね短手方向の１/３程度の位置で長手方向に沿って折り返されるが、最後に、図９（Ｄ）〜図９（Ｅ）に示すようにその折り返されたティシュペーパー１３が、長手方向の両端部１３Ａ，１３Ａが中央に向かって折り返されて畳まれた折り畳み態様１５となっている。これらの特許文献１のポケットティシューでは、二つ折り時における折り返し縁部１２を摘んで引き出すだけで、使用しやすいシートを二つ折りした状態のティシュペーパーに展開される。
【０００６】
しかしながら、この特許文献１のポケットティシューは、図７に示す従来一般のポケットティシューに係るティシュペーパーの折り畳み態様と異なるため、一般的なポケットティシュー折り装置や折り方法を用いることができない。そのため、機械的に大量生産することが困難という問題があった。特に、この特許文献１に示されるポケットティシューは、引き出し時に摘む部分が二重となっている折り返し縁部１２となるため紙力の弱い保湿ティシュー等にも適するが、そのような紙力の弱いポケットティシューはより一層従来の製法では対応できない。
【先行技術文献】
【特許文献】
【０００７】
【特許文献１】特許第５７８４７６６号
【特許文献２】特開２００７-２４４５６８号公報
【特許文献３】特開２０１３−１１１３２８号公報
【発明の概要】
【発明が解決しようとする課題】
【０００８】
そこで、本発明の主たる課題は、取出口から取り出した際に使用しやすい状態に展開する折り畳み態様のポケットティシューを効率よく生産することが可能なポケットティシューの製造方法、特に保湿ティシューなど紙力が弱い紙質でも製造可能なポケットティシューの製造方法を提供することにある。
【課題を解決するための手段】
【０００９】
上記課題を解決した本発明は以下のとおりである。
【００１０】
〔請求項１記載の発明〕
原反ロールから繰出されたティシュペーパーの幅で連続する連続シートを搬送しつつ、第一折り板によって、前記連続シートをＭＤ方向に沿って半分に折り返す第一折り返し工程と、
第一折り返し工程で形成した半分に折り返された連続シートを搬送しつつ、第二折り板によって、その折り返し縁がＣＤ方向の所定の位置となるようにＭＤ方向に沿って折り返す第二折り返し工程と、
第二折り返し工程で折り返された連続シートをティシュペーパーの長さでＣＤ方向に沿って裁断して個々のティシュペーパー片とするカット工程と、
カット工程で裁断されたティシュペーパー片をＭＤ方向の半分の位置でＣＤ方向に沿って折り返す第三折り返し工程と、を含むことを特徴とするポケットティシューの製造方法。
【００１１】
〔請求項２記載の発明〕
前記第三折り返し工程は、ティシュペーパー片のＭＤ方向の半分の位置でＣＤ方向に沿って、押し込み部材を押しあて、回転する一対の折りローラ間に、前記ティシュペーパー片をそのＭＤ方向の半分の位置から送り込むことで行なう、請求項１記載のティシュペーパーの製造方法。
【００１２】
〔請求項３記載の発明〕
前記第三折り返し工程は、折り板によって、ティシュペーパー片のＭＤ方向の両側部分をＣＤ方向に沿って折り返すことで行なう、請求項１記載のティシュペーパーの製造方法。
【００１３】
〔請求項４記載の発明〕
第三折り返し工程で折り返されたティシュペーパー片を積み重ねて束とし、ミシン目を有するフィルムによって、ＭＤ方向に沿う折り畳み縁がそのミシン目に沿う方向となるようにして包装する包装工程と、を有する、請求項１〜３の何れか１項に記載のポケットティシューの製造方法。
【００１４】
〔請求項５記載の発明〕
原反ロールとして、予め保湿剤が付与された原紙が巻かれているものを用いる請求項１記載のポケットティシューの製造方法。
【００１５】
〔請求項６記載の発明〕
原反ロールから繰出した連続シートに対して、第一折り返し工程の前に、保湿剤を付与する保湿剤付与工程を有する請求項１記載のポケットティシューの製造方法。
【発明の効果】
【００１６】
以上のとおり、本発明によれば、取出口から取り出した際に使用しやすい状態に展開する折り畳み態様のポケットティシューを効率よく生産することが可能なポケットティシューの製造方法、特に保湿ティシューなど紙力が弱い紙質でも製造可能なポケットティシューの製造方法を提供される。
【図面の簡単な説明】
【００１７】
【図１】本発明に係るポケットティシューの製造方法を説明するための斜視図である。
【図２】三角板による折り畳みを説明するための図である。
【図３】本発明の第三折り返し工程を説明するための図である。
【図４】本発明の他の第三折り返し工程を説明するための図である。
【図５】本発明に係るフィルムによる包装工程を説明するための図である。
【図６】ポケットティシューを説明するための斜視図である。
【図７】ポケットティシューにおける従来一般的なティシュペーパーの折り畳み態様を説明するための図である。
【図８】ポケットティシューにおけるティシュペーパーを展開しやすいティシュペーパーの折り畳み態様を説明するための図である。
【図９】ポケットティシューにおけるティシュペーパーを展開しやすい他のティシュペーパーの折り畳み態様を説明するための図である。
【発明を実施するための形態】
【００１８】
本発明に係るポケットティシューの製造方法の実施形態を図１〜９を参照しながら詳述する。このポケットティシューの製造方法Ｘ１は、図１及びにその概要が示されている。この製造方法は、原反ロール２から繰出されたティシュペーパーの幅で連続する連続シート１０を第一折り板２１によって、前記連続シート２０の搬送方向（ＭＤ方向）に沿って半分に折り返す第一折り返し工程Ｐ１と、第一折り返し工程Ｐ１で形成した半分に折り返された連続シート２０を搬送しつつ、第二折り板３１によって、その折り返し縁３０ＥがＣＤ方向の所定の位置となるようにＭＤ方向に沿って折り返す第二折り返し工程Ｐ２と、第二折り返し工程Ｐ２で折り返された連続シート３０をティシュペーパーの長さでＣＤ方向に沿って裁断して個々のティシュペーパー片とするカット工程Ｐ３と、カット工程Ｐ３で裁断されたティシュペーパー片５０，５０をＭＤ方向の半分の位置でＣＤ方向に沿って折り返す第三折り返し工程Ｐ４とを有している。
【００１９】
本発明に係る連続シート１０は、予めプライ数に応じた２〜３枚の連続クレープ紙が重ねられた積層連続シートであり、プライ数に応じた枚数の単層の連続クレープ紙が予め積層されている。積層されているシートを巻き取った原反ロール２は、別途のプライ設備などで製造することができる。図示の形態では、連続シート１０は一つの原反ロール２から繰出されているが、例えば、ティシュペーパーの幅の複数倍幅以上の予め積層されたシートを巻き取った原反ロールから、ティシュペーパーの幅の複数倍幅以上の幅広の連続するシートを繰り出し、その幅広の連続するシートをＣＤ方向に所定間隔で配置したスリッターによってスリットすることで、複数のティシュペーパーの幅の複数の連続シートを形成するようにしてもよい。この場合、各々の連続シートが別の第一折り返し工程Ｐ１、第二折り返し工程Ｐ２、カット工程Ｐ３へと順次本発明に係る各工程を経ることになる。なお、連続シートの原料パルプとしては、ＮＢＫＰとＬＢＫＰとを配合したものであり、適宜古紙パルプが配合されていてもよい。風合いなどの点では、ＮＢＫＰとＬＢＫＰのみから構成されているもののほうが優れる。この場合配合割合としては、ＮＢＫＰ：ＬＢＫＰ＝２０：８０〜８０：２０がよく、特に、ＮＢＫＰ：ＬＢＫＰ＝３０：７０〜６０：４０が望ましい。連続シートの各プライを構成する各クレープ紙１枚あたりの米坪は、９〜２５ｇ／ｍ2、より好ましくは１０〜１５ｇ／ｍ2である。なお、ここでの米坪は、ＪＩＳ Ｐ ８１２４（１９９８）の米坪測定方法による。また、連続シートの紙厚は、複数プライの状態で１００〜１６０μｍ、より好ましくは１２０〜１４０μｍである。なお、ここでの紙厚は、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて測定する。紙厚は複数プライの状態で測定する。具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。プランジャーの端子は金属製で直径１０ｍｍの円形の平面が紙平面に対し垂直に当たるようにし、この厚みの測定時の荷重は、１２０μｍの際に約７０ｇｆである。なお、厚みは測定を１０回行って得られる平均値とする。
【００２０】
第一折り返し工程Ｐ１においては、ティシュペーパーの幅で連続する前記連続シート１０を搬送しつつ、第一折り板２１によって搬送方向に沿って半分に折り返していく。図示の第一折り板２１は、表面平滑な板を折り返してなり、特に連続シート２０の進行方向出口側２１Ａが偏平状に薄く、進行方向の入り口側２１Ｂが口広となっている。連続シート２０は、搬送される過程でこの折り板２１の入り口側２１Ｂから出口側２１Ａに向かってその内周面に沿って案内され、連続シート１０のＣＤ方向の半分が巻き込まれつつ折り返されて二つ折りにされる。図示の形態では、折り板２１の直前に連続シート１０のＣＤ方向の半分を支持するガイドロール２５が設けられており、そのガイドロール２５によって支持される連続シート１０の半分に対して、支持されない連続シート１０の半分が巻き込み部分として第一折り板２１へ案内されやすくなるようにしている。このようにして、第一折り板２１で二つ折りされた連続シート２０は、折り返し縁３０Ｅがロール等で押圧されていないため、ふっくらとした厚み感が低下しない折り態様となる。但し、本発明に係る第一折り返し工程Ｐ１は、図１の示す形態の折り板及びガイドロールに限らず、例えば、図２に示す三角折り板４１によって行なってもよい。
【００２１】
次いで、第一折り返し工程Ｐ１を経て、搬送方向に沿ってＣＤ方向に半分に折り返された連続シート２０は、第二折り返し工程Ｐ２へ送られる。第二折り返し工程Ｐ２においても、第一折り返し工程Ｐ１と同様に折り板によって、連続シート２０が搬送方向に沿って折り返される。特に、第二折り返し工程Ｐ２においては、第一折り返し工程と異なり、連続シートを半分に折り返すのではなく、第二折り板によって、第一折り返し工程Ｐ１での折り返しによって形成された折り返し縁３０Ｅが、ＣＤ方向の所定の位置となるようにＭＤ方向に沿って折り返す。具体的に前記折り返し縁３０ＥをどのＣＤ方向のどの位置となるまで折り返すかについては必ずしも限定されないが、好ましくは、第二折り返し工程Ｐ２において折り返した後のＣＤ方向の幅の１／２となる位置である。つまり、第二折り返し工程Ｐ２では、第一折り返し工程Ｐ１で半分に折り返した連続シート２０をその折り返し縁３０Ｅから１／３の幅程度を折り返すようにするのがよい。このようにすると、ポケットティシューとした際に、その折り返し縁部３０Ｅが、取出口となるミシン目とほぼ同位置となる、引き出しやすいものとすることができる。ここで、第二折り返し工程Ｐ２における折り返しは、第一折り返し工程Ｐ１で説明した第一折り板２１と同構造の第二折り板３１によって行なうことができる。つまり、第二折り板３１も、表面平滑な板を折り返してなり、特に連続シート２０の進行方向出口側３１Ａが偏平状に薄く、進行方向の入り口側３１Ｂが口広となっているものを用いることができる。また、その前段にガイドロール３５を設けることができる。但し、第二折り返し工程Ｐ２は、第一折り返し工程Ｐ１とは折り返し幅が異なるので第一折り板２１と第二折り板３１とでは、出口側と入口側の幅が異なる。なお、第二折り返し工程Ｐ２においても、図２に示す三角折り板４１を使用した折り返しを行なってもよい。
【００２２】
第二折り返し工程Ｐ２を経た連続シート３０は、カット工程Ｐ３に搬送される。カット工程Ｐ３では、ティシュペーパーの長さの間隔でＣＤ方向に沿って裁断して個々のティシュペーパー片とされる。連続シート３０から順次ティシュペーパー片を切り出していくには、図示はしないが、シート状物を先端から所定長さで切り出す公知のカッター装置及びカッティング技術によることができる。例えば、アーム先端に取り付けたカッター刃を回転させつつ連続シートに押し当てるカッティング技術が採用できる。
【００２３】
カット工程Ｐ３で裁断された各ティシュペーパー片５０は、順次第三折り返し工程Ｐ４に送られる。第三折り返し工程Ｐ４の一実施形態は図３に示す。この形態の第三折り返し工程Ｐ４においては、前記ティシュペーパー片５０，５０…を、ティシュペーパー片５０の長手方向の半分で折り返す。つまり、ＭＤ方向の半分の位置でＣＤ方向に沿って折り返す。図示の形態では、ティシュペーパー片５０のＭＤ方向の半分の位置でＣＤ方向に沿って、押し込み部材６１を押しあて、回転する一対の折りローラ６２，６２の間に、前記ティシュペーパー片５０をそのＭＤ方向の半分の位置５２から送り込むことで行なう。図示の押し込み部材６１は、回転するアームの先端に設けられ順次送られてくるティシュペーパー片５０のＭＤ方向の半分の位置を間欠的に押し込むように構成されている。この第三折り返し工程Ｐ４によって折り返されたティシュペーパーは、図８（Ｅ）の折り畳み形態となる。なお、図９（Ｅ）に示す折り畳み形態とするのであれば、図４に示す形態の第三折り返し工程Ｐ４のように、折り板７１によって、ティシュペーパー片５０のＭＤ方向の両側部分５１Ｅ，５１ＥをＣＤ方向に沿って折り返すことで行なう。この図４に示す第三折り返し工程Ｐ４では、公知の転回技術によって予めティシュペーパー片５０の搬送方向を９０°転回させた後に、折り板７１に送り込む。この折り板７１はティシュペーパー片５０の側部５１Ｅ、５１Ｅのみが案内されるように形成されており、折り板内においても各ティシュペーパー片５０が搬送されるようになっている。なお、図示の形態では折り板の上方に折り返した側部５１Ｅ，５１Ｅが載る押え部材７２を配置している。このようにすると側部５１Ｅがより整って折り返しがされより効果的な折り返しが行えるようになる。
【００２４】
かくして折り畳まれたティシュペーパーは、所定の枚数を積み重ねて束とした後に樹脂製のフィルムによって包装される。
【００２５】
包装工程においては、図５（Ａ）〜（Ｄ）に示すように、第三折り返し工程Ｐ４で折り返されたティシュペーパー片５０を積み重ねて束５としたものを、ミシン目８２を有するフィルム８０によって、ＭＤ方向に沿う折り畳み縁３０Ｅがそのミシン目に沿う方向となるようにして包装する。つまり、包装工程は、製造された束５を、ＭＤ方向に沿う折り畳み縁３０Ｅが、搬送方向に沿う方向となるようにして搬送する。そして、その搬送過程で、連続方向に沿ってミシン目８２が形成された連続するフィルム８０を、そのミシン目８２が束５の搬送方向に直交する幅方向の中央に位置で沿うようにして重ね、その状態でフィルム８０を巻き三折りして束５を包む。連続するフィルム８０対するミシン目８２の形成は、フィルム原反ロール８から繰出した連続するフィルム８０にミシン刃を当てたり、適宜間欠的に超音波を当てたりすることによって行うことができる。ミシン目８２の形成は適宜の方法及び位置で行えばよい。さらに束５を包んだ状態とした連続フィルム８０を融着する。融着の位置は、束５の進行方向前後端部近傍であり、この融着処理によって、前後融着部８５，８５の間に束５が位置して包装された状態となる。この融着処理の後、又は融着処理と同時に、融着処理によって形成された各々の融着部８５が進行方向前後に分断されるように切断する。束５を包装するフィルム８０は、特に限定されるものではなく、公知のフィルムを用いることができる。例えば、ポリプロピレンフィルム、ポリエチレンフィルム、ポリスチレンフィルムなどである。また、フィルムは、単層のフィルムのほか、積層フィルムであってもよい。さらに、フィルム内のティシュペーパーが香り付けされたものであったり、保湿剤を付与したものであったりする場合には、ポリエチレンテレフタレートフィルムやポリ塩化ビニリデンフィルムなど、その機能に応じたガスバリア性の高いフィルムや、透湿性の低いフィルムを用いるようにしてもよい。また、フィルム８０に形成される開封用のミシン目８２は、特に限定されるものではなく、カットタイ比等は適宜に設計すればよい。
【００２６】
かくして、製造時において連続シートの折り返し縁部３０Ｅであった部位が、ティシュペーパーの折り返し縁部１２となり、図９に示すように、図８又は図９に示す折り畳み態様のティシュペーパー１５が複数枚積み重ねられた束５が包装された個々のポケットティシュー９０が製造される。
【００２７】
ここで、本発明のティシュペーパーの製造方法では、第一折り返し工程Ｐ１、第二折り返し工程Ｐ２が帯状の連続シート２０の状態で行なわれる。ティシュペーパーの原紙である連続シート２０は連続方向（搬送方向及びＭＤ方向に一致）にクレープの山谷があり伸びやすく破れにくい。したがって、帯状の連続シート１０，２０の状態で折り板２１，３１によって搬送方向（ＭＤ方向）に沿って折り返すと連続シートが破れがたい。特に、従来の一般的なポケットティシューに係るティシュペーパーの折り畳みは帯状の折り返していない連続シートをその先端側から一組のフォールディングロールに送り込みテンションをかけながら裁断と折り畳みを行なうため特に紙への負荷がかかる。特に紙力の弱い連続シートであると断紙のおそれが高まる。本発明では、上記のとおり第一折り返し工程Ｐ１と第二折り返し工程Ｐ２が連続方向に伸びやすい帯状の連続シートを搬送する過程で折り板２１，３１，４１によって行なわれるため紙力が弱い原紙であっても断紙が発生し難い。このため、本発明に係る製造方法では、保湿ティシューとも称される保湿剤を含むティシュペーパーに係るポケットティシューを製造するに好適である。保湿剤としては、一般的に使用されているものであれば任意である。例えば、グリセリン、ジグリセリン、プロピレングリコール、１，３-ブチレングリコール、ポリエチレングリコール等の多価アルコール、ソルビトール、グルコース、キシリトール、マルトース、マルトトール、マンニトール、トレハロース等の糖類、グルコース系薬剤及びその誘導体、セタノール、ステアリルアルコール、オレイルアルコール等の高級アルコールを含むポリオール、流動パラフィンなどが挙げられる。
【００２８】
ここで、本発明に係るポケットティシューの製造方法において、ティシュペーパーを保湿剤が付与されたものとするには、原反ロール２として、予め保湿剤が付与された原紙が巻かれているものを用いるようにすればよい。例えば、積層工程においてシートに保湿剤を付与するようにしてもよいし、積層工程後に別途薬液塗布設備で保湿剤を塗布してもよい。さらに、本発明に係るポケットティシューの製造方法においては、原反ロール２から繰出した連続シートに対して、第一折り返し工程Ｐ１の前に、保湿剤を付与する保湿剤付与工程（図示しない）を設けてもよい。保湿剤の付与は、公知の塗工方法、例えばロール転写、印刷、スプレー塗布によって行なうことができる。保湿剤の塗布量や含有量は適宜の設計事項である。
【００２９】
以上の本発明に係るポケットティシューの製造方法によれば、取出口から取り出した際に使用しやすい状態に展開する折り畳み態様のポケットティシューを効率よく生産することがき、機械的に大量生産することも可能となる。また、保湿ティシューなど紙力が弱い紙質でも十分に製造可能となる。
【符号の説明】
【００３０】
９，１１０…ティシュペーパー、１２，１１２…折り返し縁部、１３，１１３…細長シート状に折り返されたティシュペーパー、１３Ｃ，１１３Ｃ…細長シート状に折り返されたティシュペーパーの長手方向中央、９Ｃ…二つ折りされたティシュペーパーの短手方向の１/３程度の位置、１４，１５，１１５…折り畳まれたティシュペーパー、２…原反ロール、１０，２０，３０…連続シート、２１…第一折り板、２１Ａ…第一折り板の出口側、２１Ｂ…第一折り板の入り口側、２５，３５…ガイドロール、３０Ｅ…折り返し縁、３１…第二折り板、３１Ａ…第二折り板の出口側、３１Ｂ…第二折り板の入り口側、５０…ティシュペーパー片、４１…三角折り板、Ｐ１…第一折り返し工程、Ｐ２…第二折り返し工程、Ｐ３…カット工程、Ｐ４…第三折り返し工程、６１…押し込み部材、６２…ローラ、５２…ティシュペーパー片の長手方向半分の位置、７１…折り板、７２…押え部材、８０…フィルム、８２…ミシン目、８…フィルム原反ロール、８５…融着部、９０…ポケットティシュー。
【図１】
2018057451.tif 000003
【図２】
2018057451.tif 000004
【図３】
2018057451.tif 000005
【図４】
2018057451.tif 000006
【図５】
2018057451.tif 000007
【図６】
2018057451.tif 000008
【図７】
2018057451.tif 000009
【図８】
2018057451.tif 000010
【図９】
2018057451.tif 000011